(57)【要約】      （修正有）【課題】カテーテルの枝管を固定してカテーテルのハブ部を清潔に保つためと、シリンジでの処置やチューブ交換をしやすくするカテーテル保持具を提供する。【解決手段】カテーテル保持具２は、金属板を略コ字形に形成され、一方には枝管保持側壁２ａが形成され、他方にはハブ部受け側壁２ｃが形成されている。さらに、枝管保持側壁２ａには、カテーテル本体の枝管を固定するための枝管保持溝２ｂが形成されている。この枝管保持溝２ｂは、ハブ部が互いに接触しないようにある間隔で複数設けられている。また、ハブ部受け側壁２ｃは、カテーテル本体のハブ部が常に上を向くように、上端の高さを枝管保持溝２ｂの底よりも高くしてある。【選択図】図２
0003212798.tif 000002
【実用新案登録請求の範囲】
【請求項１】
カテーテルの枝管を保持するための保持具であって、前記保持具は略コ字形に形成され、一方の枝管保持側壁は、カテーテル枝管を保持するための枝管保持溝を有し、他方のハブ部受け側壁は、枝管の先にあるハブ部が上向きに載置されるように前記枝管保持溝の底より高くしたカテーテル保持具。
【請求項２】
枝管保持側壁とハブ部受け側壁との間に保持部が形成され、この保持部の外面に脚を取り付けた請求項１に記載のカテーテル保持具。
【考案の詳細な説明】
【技術分野】
【０００１】  本考案は、カテーテルを操作する際、安全に安定的にどこでもカテーテル枝管を固定でき、ハブ部を清潔に保てるカテーテル保持具に関するものである。
【背景技術】
【０００２】  病院等で、透析の血液の体外循環または輸液、薬剤投入に使用されるカテーテルは、短期間や長期間体に固定されている。その間ハブ部先端でシリンジや人工腎臓用血液回路アクセス部の挿入時、枝管を保持しながらその操作をしなければならない。
【考案の概要】
【考案が解決しようとする課題】
【０００３】  カテーテルの固定は、直接付属のカテーテル固定具を患者の皮膚に縫合糸で縫って行われる。しかし、その先の枝管やハブ部を固定するものがない。処置時、ハブ部を固定するものがないため、ハブ部先端が垂れ下がり布等に接触し不潔になり、感染症の危険が増大する。そこで本考案の課題は、枝管を固定してカテーテルのハブ部を清潔に保つためと、シリンジでの処置やチューブ交換をしやすくするカテーテル保持具を提供することにある。
【課題を解決するための手段】
【０００４】  カテーテル保持具において、金属によって略コ字形に形成され、一方の枝管保持側壁は、カテーテル枝管を保持するための枝管保持溝を有し、他方のハブ部受け側壁は、枝管の先にあるハブ部が上向きに載置されるように前記枝管保持溝の底より高くしてある。また枝管保持溝は、ハブ部が互いに接触しないようにある間隔で複数設けられている。
【考案の効果】
【０００５】  カテーテル枝管を保持する枝管保持溝を設けたカテーテル保持具により、カテーテルハブ部先端部が直接布、ガーゼと接触しなくなり清潔性が保たれる。しかもカテーテル枝管が固定されることにより、シリンジや人工腎臓用血液回路アクセス部を交換・操作するときも安定してできる。また、受け台部をプラスチック樹脂にしても同様の効果を得る。
【図面の簡単な説明】
【０００６】
【図１】カテーテル本体の平面図である。
【図２】本考案のカテーテル保持具の斜視図である。
【図３】カテーテル保持具に脚を取り付けた第二の実施例を示す斜視図である。
【図４】プラスチック樹脂製カテーテル保持具の斜視図である。
【図５】プラスチック樹脂製カテーテル保持具に脚を取り付けた第三の実施例を示す斜視図である。
【図６】カテーテル保持具に脚を取り付けた第二の実施例にカテーテルを保持した状態の写真である。
【考案を実施するための形態】
【０００７】  本考案によるカテーテル保持具２は、金属板を略コ字形に形成され、一方には枝管保持側壁２ａが形成され、他方にはハブ部受け側壁２ｃが形成されている。さらに、枝管保持側壁２ａには、カテーテル本体１の枝管１ｂを固定するための枝管保持溝２ｂが形成されている。この枝管保持溝２ｂは、ハブ部１ｃが互いに接触しないようにある間隔で複数設けられている。また、ハブ部受け側壁２ｃは、カテーテル本体１のハブ部１ｃが常に上を向くように、上端の高さを枝管保持溝２ｂの底よりも高くしてある。
【０００８】  以下、図面に沿って本考案の実施例を説明する。カテーテル保持具２は、図２に示すように、金属板材によって略コ字形に形成されている。一方の枝管保持側壁２ａには、複数の枝管保持溝２ｂが設けられており、この枝管保持溝２ｂにカテーテル１の枝管１ｂが挿入され固定される。他方のハブ部受け側壁２ｃは枝管１ｂの先についているハブ部１ｃが、布等と接触しないように上向きになるように枝管保持溝２ｂの底に対して高くしてある。
【０００９】  このように形成されたカテーテル保持具２上のカテーテルハブ部１ｃは常に上向きに設置されているため、布等との接触による感染症の心配も軽減される。またシリンジ（図示なし）や人工腎臓用血液回路アクセス部（図示なし）挿入時両手が使用できるようになり安全性が増す。
【００１０】  図３に示す第二の実施例は、カテーテル保持具２に脚３を追加し、頚椎部での作業をやりやすくしたものである。脚３は、心材に冷間圧延鋼板のＳＰＣＥを使用し、その外側にポリ塩化ビニール樹脂をコーティングしたもので、屈曲性と耐薬品性があるものである。脚３を付けることによりカテーテル保持具２の枝管１ｂを保持する位置が、頚椎部にカテーテル１ａを挿入する高さになり、作業が楽にできることにより、血液の流れが障害なく流れるようになる。カテーテル保持具２と脚３の連結は、脚３部にボルト３ａを設置し、カテーテル保持具２の枝管保持側壁２ａとハブ部受け側壁２ｃとの間に形成された平坦な保持部２ｅにナット２ｄを溶接により固定し、相互にねじ込みをすればカテーテル保持具２と脚３は一体に固定される。
【００１１】  図４は、カテーテル保持具をプラスチック樹脂製にした例である。プラスチック樹脂製カテーテル保持具４は、略Ｕ形の補強のため側壁４ａを設けて全体として凹形状になっているが、枝管保持溝４ｂがある枝管保持側壁４ｃとハブ部受け側壁４ｄは、金属製と同様に段差を設けてあり、枝管１ｂの保持とハブ部１ｃを常に上向きする機能を有している。
【００１２】  図５は、プラスチック樹脂製のカテーテル保持具４に第二実施例と同様に、脚３を取り付けた状態を示している。プラスチック樹脂製のカテーテル保持具４の凹部底中央に、十字の切込み４ｅを付け、脚３のボルト３ａを差し込んで一体化する。
【００１３】  図６は、図３に示すカテーテル保持具２にカテーテル本体１を取り付けた状態である。
以上、カテーテル保持具２は金属やプレスチック樹脂ばかりでなく他の材料でも製作可能であることはいうまでもない。同様に脚３も冷間圧延鋼板やポリ塩化ビニール樹脂ばかりでなく他の材料でも製作可能であることはいうまでもない。
【符号の説明】
【００１４】１    カテーテル本体
１ａ  カテーテル
１ｂ  枝管
１ｃ  ハブ部
２    カテーテル保持具
２ａ  枝管保持側壁
２ｂ  枝管保持溝
２ｃ  ハブ部受け側壁
２ｄ  ナット
２ｅ  平坦な保持部
３    脚
３ａ  ボルト
４    プラスチック樹脂製カテーテル保持具
４ａ  側壁
４ｂ  枝管保持側壁
４ｃ  枝管保持溝
４ｄ  ハブ部受け側壁
４ｅ  十字の切込み
【図１】
0003212798.tif 000003
【図２】
0003212798.tif 000004
【図３】
0003212798.tif 000005
【図４】
0003212798.tif 000006
【図５】
0003212798.tif 000007
【図６】
0003212798.tif 000008